(57)【要約】【課題】  単純な構造で、簡単に中空チューブよりなる環状リリアンを製作することができ、極太タイプや太めのファンシータイプの糸でシュシュ等の装身具を手芸操作で製作するのに容易な中空環状リリアン製作器具を提供する。【解決手段】  所要大きさからなる任意形状の台座１に正多角形の各頂部に位置する如く等間隔で突起棒２を立設し、かつ、該突起棒２の長さを長く７〜１５ｃｍの範囲とした。特に正五角形の各頂部に位置して５本の突起棒２を立設したものはシュシュ等の装身具の製作に好適である。【選択図】  図１
0003167441.tif 000002
【実用新案登録請求の範囲】
【請求項１】
任意形状からなる所要大きさの台座と、該台座に正多角形の各頂部に位置する如く等間隔で立設された所要複数の突起棒からなり、突起棒の長さが７〜１５ｃｍの範囲であることを特徴とする中空環状リリアン製作器具。
【請求項２】
台座上の突起棒が正五角形の頂部に位置して立設された５本である請求項１記載の中空環状リリアン製作器具。
【考案の詳細な説明】
【技術分野】
【０００１】
本考案は女性の髪を束ねるシュシュやブレスレット等の装身具をリリアン編により手軽に製作することができる中空環状リリアン製作器具に関するものである。
【背景技術】
【０００２】
一般にリリアンを作る器具としては従来より大小様々のものが存在しており、例えば出願人会社の「アンデミルミル」シリーズもこの一種であり、針山が特殊設計で目数を多く使い、マフラー，帽子などの編成に使用されているが、シュシュやブレスレットなど、目数の少ない環状の装身具をリリアン編で製作するには適していない。
【０００３】
髪束ね用シュシュなどの装身具は従来、織物，編物，フェルト等の布地で作成した中空の外周被覆体内に弾性芯材を入れてリング状に形成したり（例えば特許文献１参照）、筒状の両端をゴム紐で絞って口ゴムを形成し、この口ゴムに髪止めを係止する係止具を縫い付けたり（例えば特許文献２参照）、更に布，皮，毛皮等で筒状に形成した本体両端にゴムを通したり（例えば特許文献３参照）して作成されており、何れも織物や編物などの布地や皮などを予め筒状に作成して弾性芯材を挿入し、あるいはゴムを取り付け緊縮構造にするという縫製によるものが主で編成により作成することについては殆ど考えられていない。
【先行技術文献】
【特許文献】
【０００４】
【特許文献１】実公平６−２１３６２号公報
【特許文献２】実用新案登録第３０３３３０６号公報
【特許文献３】実用新案登録第３１２３９０２号公報
【考案の概要】
【考案が解決しようとする課題】
【０００５】
本考案は上述の如き実状に鑑み、特にシュシュ等を簡単に手芸操作により環状リリアンとして製作することに着目し、目数を少なくし、単純な構造で通常の使い方により簡単にチューブ状のリリアンができ、持ち運びも便利で子供でも容易に取り扱える製作器具を提供することを目的とするものである。
【課題を解決するための手段】
【０００６】
即ち、上記目的に適合する本考案製作器具は、円形，四角形，ハート形など、任意形状からなる所要大きさの台座に所要複数の突起棒を正多角形の頂部に位置する如く等間隔で立設してなる構造であって、立設した突起棒の長さが７〜１５ｃｍの範囲である中空環状リリアン製作器具からなる。なお、台座に立設される突起棒はシュシュ等の環状リリアン装身具を製作する場合には正五角形の頂部に位置する如く５本立設、使用するのが好適である。
【考案の効果】
【０００７】
本考案は上述の如く台座に複数の突起棒を正多角形の頂部に位置する如く等間隔で立設した中空環状リリアン製作器具であり、糸を各突起棒に巻き付け各突起棒において下方より上方へすくって各突起棒にリリアン編みを形成して中心部に中空チューブ状のリリアンを編成し、これを所要長さ編成して環状リリアンとすることにより環状内部に環状弾性芯材を編みくるめ内包させてシュシュ等を簡単に製作することができ、非常に単純な構造で、壊れにくく、コンパクトなので収納も持ち運びも便利で簡単に中空チューブよりなる環状リリアンが出来ることから広く種々の手芸に利用することができる効果を有する。
【図面の簡単な説明】
【０００８】
【図１】本考案に係る製作器具の１例を示す全体斜視図である。
【図２】本考案製作器具の使用態様で、シュシュを製作する場合の編み始めの状態を示す説明図である。
【図３】上記図２に続く編成状態を示す説明図である。
【図４】上記図３に続く編成状態を示す説明図である。
【図５】更に上記図４に続き、ある程度編成した状態を示す説明図である。
【図６】更に上記図５に続き相当程度の長さの中空チューブ状リリアンを編成した状態を示す説明図である。
【図７】上記本考案製作器具により製作された製品としてシュシュを示す斜視図である。
【考案を実施するための形態】
【０００９】
以下、更に添付図面を参照し、本考案の具体的態様について説明する。図１は本考案に係る製作器具の１例であり、台座１と、該台座１に正多角形の頂部に位置する如く等間隔で立設された複数の突起棒２によって構成されている。台座１は図においては円形台座であるが、円形に限らず、四角形状，ハート形状その他、任意の形状であってもよく、また突起棒２の数も図では正五角形の各頂部に位置する５本となっているが、これに拘束されず、正三角形，正六角形などの頂部に位置する３〜６本などであってもよい。しかし、シュシュ用の環状リリアンを製作するには一般に５本が好適である。この突起棒２は余り短くてはリリアン編みに不便であるので、通常は７〜１０ｃｍ、あるいは精々１５ｃｍ位まで長くすることが操作上、好適である。
【００１０】
一般にリリアンを容易に作る器具としては前述したように大，小様々なものが存在しているが、本考案は特に従来に比し目数を少なくし、かつ極太，超極太イブや太めのファンシータイプの糸を対象としてより簡単に短時間で作品が完成することに重点をおいて、突起棒の長さを長くし、独得の技法を使用可能として女性の髪を束ねる装身具、例えばシュシュを製作するのに好適ならしめている。
【００１１】
図２〜図６は上記本考案製作器具を用いてシュシュを製作する場合を例示しており、突起棒２の長さを７ｃｍ以上、好ましくは７〜１２ｃｍとして先ず、図２に示すように正五角形の頂部位置に立設された５本の突起棒２を有する器具において、リリアン編み用の糸３を、その始端をテープａ等で固定し、環状弾性芯材４内をくぐらせて図３に示す如く突起棒２に順次、巻き付けてゆき、１回りして始端に戻ると再び図３の如く糸３を環状弾性芯材４をくぐらせて突起棒２に順次巻き付けて、その間、各突起棒２で図４に示すように先に巻き付けた糸３を次に巻き付けた糸の下方より上方へすくって、突起棒２にかけて順次、各突起棒においてこれを繰り返してリリアン編を作成し、更に順次、これを繰り返して図５，図６に示すように環状弾性芯材４を内包したリリアン編による中空チューブ５を５本の突起棒２の内部に形成し、環状弾性芯材４を内包した充分な長さまで中空チューブ５が出来上がると、器具から外し、編み始めと編み終わりを接合し、所要内径の中空チューブからなる環状リリアンによるシュシュが完成される。なお、テープａ等で編始めに止めた始端は適当な長さの中空チューブ状リリアンが編成された時点で随時、外すようにする。かくして図７に示す如き環状弾性芯材４を自由な状態で内包した環状リリアン本体６からなるシュシュを得ることができる。
【００１２】
なお、以上はシュシュを製作する場合であるが、同様にして突起棒の数，長さ等を選定し、夫々に適合した中空チューブ状リリアンからなる環状リリアンによるブレスレット等の装身具を作成することができ、極太，超極太タイプや太めのファンシータイプの糸等を対象として簡単、かつ短時間で手芸を利用して種々の環状リリアンによる装身具を作成することができる。
【符号の説明】
【００１３】
１：台座
２：突起棒
３：糸
４：環状弾性芯材
５：中空チューブ状リリアン
６：環状リリアン本体
【図１】
0003167441.tif 000003
【図２】
0003167441.tif 000004
【図３】
0003167441.tif 000005
【図４】
0003167441.tif 000006
【図５】
0003167441.tif 000007
【図６】
0003167441.tif 000008
【図７】
0003167441.tif 000009